(57)【要約】【課題】  ユーザの手間を軽減する。【解決手段】  複数の処理（イメージ補正、ＯＣＲ、文書変換等）の順番を指示する指示書２２に従って、イメージデータに対して処理を実行するジョブフロー実行装置において、第１の処理サービス１６において、イメージ補正処理にエラーが発生した場合には、そのエラーレベルの態様に応じて、致命的なエラーの場合には、処理を中止し、問合せレベルであれば、ユーザに以後、このまま継続して処理をしていいのかを問い合わせる。ユーザからの返答に応じて、処理中止の場合には、以後の処理を中止する。一方、このまま継続して処理をしてもよい場合には、処理を継続させる。【選択図】        図１
2006155054.tif 000002
【特許請求の範囲】
【請求項１】
複数の処理の順番を指示する指示データに従って、データに対して処理を実行する処理実行装置であって、
既に実行された処理により得られた情報に基づいて、複数の処理の内の１つの処理を選択する選択手段と、
前記選択手段により選択された処理が実行されるように、前記指示データに設定する設定手段と、
を備えた処理実行装置。
【請求項２】
複数の処理の順番を指示する指示データに従って、データに対して処理を実行する処理実行装置であって、
処理の対象となるデータ、及び既に実行された処理により得られた情報を入力する入力手段と、
前記入力された前記情報に基づいて、複数の処理の内の１つの処理を選択する選択手段と、
前記選択手段により選択された処理を、前記入力されたデータに実行する実行手段と、
を備えた処理実行装置。
【請求項３】
複数の処理の順番を指示する指示データに従って、データに対して処理を実行する処理実行装置であって、
処理の複数の実行結果各々に対応して次の処理が予め定められ、処理の実際の実行結果に基づいて、次の処理を決定する決定手段と、
前記決定手段により決定された処理を実行する実行手段と、
を備えた処理実行装置。
【請求項４】
前記決定手段は、前記処理の実際の結果が第１の不良状態の場合には、次の処理として問合せ処理を決定する
ことを特徴とする請求項３記載の処理実行装置。
【請求項５】
前記決定手段は、前記処理の実際の結果が第１の不良状態より不良な第２の状態の場合には、次の処理として処理中止処理を決定する
ことを特徴とする請求項３又は請求項４記載の処理実行装置。
【請求項６】
前記データは、元データに対して他の処理が既に実行されて得られたデータであり、
前記決定手段は、前記処理の実際の結果が所定の不良状態の場合には、前記他の処理の実行態様を変更して前記元データに対して再度実行するように、前記指示データに設定することを、前記次の処理として決定する
ことを特徴とする請求項３記載の処理実行装置。
【請求項７】
複数の処理の順番を指示する第１の指示データに従って、データに対して処理を実行する処理実行装置であって、
前記指示データにより指示された前記複数の処理の１つには、前記第１の指示データと異なる他の第２の指示データに従って処理が実行されたデータと、前記第１の指示データに従って処理が実行されたデータとを併合する処理が含まれる
ことを特徴とする処理実行装置。
【請求項８】
複数の処理の順番を指示する指示データに従って、データに対して処理を実行する処理実行方法であって、
既に実行された処理により得られた情報に基づいて、複数の処理の内の１つの処理を選択するステップと、
前記選択された処理が実行されるように、前記指示データに設定するステップと、
を備えた処理実行方法。
【請求項９】
複数の処理の順番を指示する指示データに従って、データに対して処理を実行する処理実行方法であって、
処理の対象となるデータ、及び既に実行された処理により得られた情報を入力するステップと、
前記入力された前記情報に基づいて、複数の処理の内の１つの処理を選択するステップと、
前記選択された処理を、前記入力されたデータに実行するステップと、
を備えた処理実行方法。
【請求項１０】
複数の処理の順番を指示する指示データに従って、データに対して処理を実行する処理実行方法であって、
処理の複数の実行結果各々に対応して次の処理が予め定められ、処理の実際の実行結果に基づいて、次の処理を決定するステップと、
前記決定された処理を実行するステップと、
を備えた処理実行方法。
【請求項１１】
前記決定のステップでは、前記処理の実際の結果が第１の不良状態の場合には、次の処理として問合せ処理を決定する
ことを特徴とする請求項１０記載の処理実行方法。
【請求項１２】
前記決定のステップでは、前記処理の実際の結果が第１の不良状態より不良な第２の状態の場合には、次の処理として処理中止処理を決定する
ことを特徴とする請求項１０又は請求項１１記載の処理実行方法。
【請求項１３】
前記データは、元データに対して他の処理が既に実行されて得られたデータであり、
前記決定のステップでは、前記処理の実際の結果が所定の不良状態の場合には、前記他の処理の実行態様を変更して前記元データに対して再度実行するように、前記指示データに設定することを、前記次の処理として決定する
ことを特徴とする請求項１０記載の処理実行方法。
【請求項１４】
複数の処理の順番を指示する第１の指示データに従って、データに対して処理を実行する処理実行方法であって、
前記指示データにより指示された前記複数の処理の１つには、前記第１の指示データと異なる他の第２の指示データに従って処理が実行されたデータと、前記第１の指示データに従って処理が実行されたデータとを併合する処理が含まれる
ことを特徴とする処理実行方法。
【請求項１５】
複数の処理の順番を指示する指示データに従って、データに対して、以下の処理をコンピュータに実行させる処理実行プログラムであって、
前記処理は、
既に実行された処理により得られた情報に基づいて、複数の処理の内の１つの処理を選択するステップと、
前記選択された処理が実行されるように、前記指示データに設定するステップと、
を備えた処理実行プログラム。
【請求項１６】
複数の処理の順番を指示する指示データに従って、データに対して、以下の処理をコンピュータに実行させる処理実行プログラムであって、
前記処理は、
処理の対象となるデータ、及び既に実行された処理により得られた情報を入力するステップと、
前記入力された前記情報に基づいて、複数の処理の内の１つの処理を選択するステップと、
前記選択された処理を、前記入力されたデータに実行するステップと、
を備えた処理実行プログラム。
【請求項１７】
複数の処理の順番を指示する指示データに従って、データに対して、以下の処理をコンピュータに実行させる処理実行プログラムであって、
前記処理は、
処理の複数の実行結果各々に対応して次の処理が予め定められ、処理の実際の実行結果に基づいて、次の処理を決定するステップと、
前記決定された処理を実行するステップと、
を備えた処理実行プログラム。
【請求項１８】
前記決定のステップでは、前記処理の実際の結果が第１の不良状態の場合には、次の処理として問合せ処理を決定する
ことを特徴とする請求項１７記載の処理実行プログラム。
【請求項１９】
前記決定のステップでは、前記処理の実際の結果が第１の不良状態より不良な第２の状態の場合には、次の処理として処理中止処理を決定する
ことを特徴とする請求項１７又は請求項１８記載の処理実行プログラム。
【請求項２０】
前記データは、元データに対して他の処理が既に実行されて得られたデータであり、
前記決定のステップでは、前記処理の実際の結果が所定の不良状態の場合には、前記他の処理の実行態様を変更して前記元データに対して再度実行するように、前記指示データに設定することを、前記次の処理として決定する
ことを特徴とする請求項１７記載の処理実行プログラム。
【請求項２１】
複数の処理の順番を指示する第１の指示データに従って、データに対して、以下の処理をコンピュータに実行させる処理実行プログラムであって、
前記処理は、
前記指示データにより指示された前記複数の処理の１つには、前記第１の指示データと異なる他の第２の指示データに従って処理が実行されたデータと、前記第１の指示データに従って処理が実行されたデータとを併合する処理が含まれる
ことを特徴とする処理実行プログラム。
【発明の詳細な説明】
【技術分野】
【０００１】
本発明は、処理実行装置及び方法、及び処理実行プログラムにかかり、特に、複数の処理の順番を指示する指示データに従って、データに対して処理を実行する処理実行装置及び方法、及び処理実行プログラムに関する。
【背景技術】
【０００２】
従来、複数のジョブ（処理）の実行の順番を示す指示書（指示データ）に基づいて、各ジョブを実行するジョブフロー処理システムが提案されている（特許文献１、２参照）。
【０００３】
ここで、複数の処理の内の一つの処理としては例えば、英文文字認識、日本語文字認識、及び中国語文字認識等がある。従来、ユーザがどの言語の文字認識を実行するのかを指示書に設定していた。このように、従来のジョブフロー処理システムでは、どの処理を実行させるのかをユーザが指示書に設定しなければならず、ユーザにとって煩わしく、手間が大きかった。
【０００４】
また、指示データに基づいて、複数の処理を順に実行する際に、１つの処理の処理結果にエラーが発生しても、従来のジョブフロー処理システムでは、エラーの結果を引きずって、後の処理が実行される。よって、ユーザは、最終の処理結果をみて、エラーが発生した処理を判断し、何らかの処理の態様を変更して指示データを再度作成し、再度処理を実行させていた。よって、ユーザにとって煩わしく、手間が大きかった。
【０００５】
更に、大量の原稿、例えば１００ページの原稿を読み取る場合には、従来、全ての原稿を読み取り、そこに記載された文字を認識し、所定の文書変換をしていた。このように、大量のページの原稿を１度に処理すると時間がかかるので、従来、例えば、前半のページ（１〜５０ページ）の文字認識及び文書変換の第１の指示データと後半の原稿（５１ページ〜１００ページ）の文字認識及び文書変換の第２の指示データを作成し、各原稿を各指示データに従って処理させていた。そして、第１の指示データに基づいて処理された最終のデータと、第２の指示データに基づいて処理された最終のデータとを、最終的にユーザが併合していた。よって、ユーザにとって煩わしく、手間が大きかった。
【特許文献１】特開２００４−１１２６３６公報
【特許文献２】特開２００４−１５１８９３公報
【発明の開示】
【発明が解決しようとする課題】
【０００６】
本発明は、上記事実に鑑み成されたもので、ユーザの手間を軽減することの可能な処理実行装置及び方法、及び処理実行プログラムを提供することを目的とする。
【課題を解決するための手段】
【０００７】
上記目的を達成するために請求項１に記載の発明は、複数の処理の順番を指示する指示データに従って、データに対して処理を実行する処理実行装置であって、既に実行された処理により得られた情報に基づいて、複数の処理の内の１つの処理を選択する選択手段と、前記選択手段により選択された処理が実行されるように、前記指示データに設定する設定手段と、を備えている。
【０００８】
即ち、本発明は、複数の処理の順番を指示する指示データに従って、データに対して処理を実行する処理実行装置である。
【０００９】
選択手段は、既に実行された処理により得られた情報に基づいて、複数の処理の内の１つの処理を選択する。そして、設定手段は、選択手段により選択された処理が実行されるように、指示データに設定する。
【００１０】
例えば、文字認識処理について、日本語認識処理、英語認識処理、及び中国語認識処理等の複数の処理がある場合、従来では、ユーザが何れの処理を実行するのかを指示データに指示していた。よって、ユーザにとって煩わしく、手間が大きかった。
【００１１】
これに対して、本発明は、既に実行された処理、例えば、原稿の読取処理や、読み取って得られたデータに対するイメージ処理により得られた情報、例えば、原稿のサイズに基づいて、例えば、原稿サイズがレターサイズの場合には、英語認識処理を選択し、原稿サイズが日本に特有なサイズ（Ａ版、Ｂ版）の場合には、日本語認識処理、そして、原稿サイズが中国に特有なサイズの場合には、中国語認識処理を選択し、指示データに選択された処理が実行されるように設定する。
【００１２】
このように、既に実行された処理により得られた情報に基づいて、複数の処理の内の１つの処理を選択し、選択された処理が実行されるように指示データに設定するので、ユーザは、何れの処理を実行するのかを指示データに設定する必要がなく、ユーザの手間を軽減することができる。
【００１３】
また、請求項２記載の発明は、複数の処理の順番を指示する指示データに従って、データに対して処理を実行する処理実行装置であって、処理の対象となるデータ、及び既に実行された処理により得られた情報を入力する入力手段と、前記入力された前記情報に基づいて、複数の処理の内の１つの処理を選択する選択手段と、前記選択手段により選択された処理を、前記入力されたデータに実行する実行手段と、を備えている。
【００１４】
即ち、本発明は、複数の処理の順番を指示する指示データに従って、データに対して処理を実行する処理実行装置である。
【００１５】
入力手段は、処理の対象となるデータ、及び既に実行された処理により得られた情報を入力する。即ち、他の処理実行装置が所定の処理を実行し、この処理により得られた情報が入力手段により入力される。
【００１６】
選択手段は、入力された上記情報に基づいて、複数の処理の内の１つの処理を選択する選択し、実行手段は、選択手段により選択された処理を、入力されたデータに実行する。
【００１７】
このように、既に実行された処理により得られた情報を入力し、該入力された、既に実行された処理により得られた情報に基づいて、複数の処理の内の１つの処理を選択し、選択された処理をデータに対して実行するので、ユーザは、何れの処理を実行するのかを指示データに設定する必要がなく、ユーザの手間を軽減することができる。
【００１８】
請求項３記載の発明は、複数の処理の順番を指示する指示データに従って、データに対して処理を実行する処理実行装置であって、処理の複数の実行結果各々に対応して次の処理が予め定められ、処理の実際の実行結果に基づいて、次の処理を決定する決定手段と、前記決定手段により決定された処理を実行する実行手段と、を備えている。
【００１９】
即ち、本発明は、複数の処理の順番を指示する指示データに従って、データに対して処理を実行する処理実行装置である。
【００２０】
処理の複数の実行結果各々に対応して次の処理が予め定められ、決定手段は、処理の実際の実行結果に基づいて、次の処理を決定し、実行手段は、該決定された処理を実行する。
【００２１】
このように、処理の実際の実行結果に基づいて次の処理を決定し、該決定された処理を実行するので、ユーザによる次の処理の設定を排除することができ、ユーザの手間を軽減することができる。
【００２２】
例えば、請求項４のように、決定手段は、処理の実際の結果が第１の不良状態の場合には、次の処理として問合せ処理を決定する。また、請求項５のように、決定手段は、処理の実際の結果が第１の不良状態より不良な第２の状態の場合には、次の処理として処理中止処理を決定する。
【００２３】
また、例えば、請求項６のように、上記データは、元データに対して他の処理が既に実行されて得られたデータであり、決定手段は、処理の実際の結果が所定の不良状態の場合には、他の処理の実行態様を変更して元データに対して再度実行するように、指示データに設定することを、次の処理として決定する。即ち、元データに対して他の処理が既に実行されて得られたデータに対して処理を実行したとき、その処理の実際の結果が所定の不良状態の場合には、その原因は、当該他の処理の態様が不充分だった場合が考えられ、その態様を変更すれば、処理を実行するデータが良好となり、処理の実際の結果も所定の不良状態でない（良好等）となる場合がある。
【００２４】
そこで、決定手段は、処理の実際の結果が所定の不良状態の場合には、他の処理の実行態様を変更して元データに対して再度実行するように、指示データに設定することを、決定する。
【００２５】
このように決定されると、実行手段は、他の処理の実行態様を変更して元データに対して再度実行するように、指示データに設定する。よって、再度、当該指示データに対して、実行態様が変更された当該他の処理が実行され、本処理の処理の実際の結果も所定の不良状態とならにようにすることができる。
【００２６】
このように、処理の実際の結果が所定の不良状態の場合には、他の処理の実行態様を変更して元データに対して再度実行するように、指示データに設定することを、次の処理として決定するので、実行手段は、他の処理の実行態様を変更して元データに対して再度実行するように、指示データに設定することになり、ユーザによる設定を排除することができ、ユーザの手間を軽減することができる。
【００２７】
請求項７記載の発明は、複数の処理の順番を指示する第１の指示データに従って、データに対して処理を実行する処理実行装置であって、前記指示データにより指示された前記複数の処理の１つには、前記第１の指示データと異なる他の第２の指示データに従って処理が実行されたデータと、前記第１の指示データに従って処理が実行されたデータとを併合する処理が含まれることを特徴とする。
【００２８】
即ち、本発明は、複数の処理の順番を指示する第１の指示データに従って、データに対して処理を実行する処理実行装置である。
【００２９】
そして、本発明では、指示データにより指示された複数の処理の１つに、第１の指示データと異なる他の第２の指示データに従って処理が実行されたデータと、第１の指示データに従って処理が実行されたデータとを併合する処理を含めている。
【００３０】
例えば、大量な頁数、例えば、１００枚の原稿を読み取り、そこに記載されている文字を認識して、文書変換する場合を考える。
【００３１】
従来は、１度に１００枚の原稿の読み取り、文字認識、及び文書変換を指示データに設定していた。これでは、処理完了に長い時間を必要としていた。
【００３２】
そこで、１００枚の原稿の前半の原稿の読み取り、文字認識、及び文書変換を第１の指示データに設定し、また、後半の原稿の読み取り、文字認識、及び文書変換を第２の指示データに設定していた。そして、１００枚の原稿の前半の原稿を読み取って得られたデータに対して第１の指示データに基づいて処理を実行し、また、後半の原稿の読み取って得られたデータに対して第２の指示データに基づいて処理を実行していた。最終的には、ユーザがそれぞれのデータを併合していたので、ユーザにとって煩わしく手間が大きかった。
【００３３】
これに対し、本願発明は、指示データにより指示された複数の処理の１つに、第１の指示データと異なる他の第２の指示データに従って処理が実行されたデータと、第１の指示データに従って処理が実行されたデータとを併合する処理を含めているので、ユーザによるそれぞれのデータの併合を排除でき、ユーザの手間を軽減することができる。
【００３４】
なお、請求項８〜１４における処理実行方法、及び請求項１５〜２１における処理実行プログラムはそれぞれ、請求項１〜請求項７の処理実行装置における上記作用、効果と同様の作用、効果を奏するので、その説明を省略する。
【発明の効果】
【００３５】
以上説明したように請求項１、８、及び１５記載の発明によれば、既に実行された処理により得られた情報に基づいて、複数の処理の内の１つの処理を選択し、選択された処理が実行されるように指示データに設定するので、ユーザは、何れの処理を実行するのかを指示データに設定する必要がなく、ユーザの手間を軽減することができる、という効果がある。
【００３６】
請求項２、９、１６記載の発明は、既に実行された処理により得られた情報を入力し、該入力された、既に実行された処理により得られた情報に基づいて、複数の処理の内の１つの処理を選択し、選択された処理をデータに対して実行するので、ユーザは、何れの処理を実行するのかを指示データに設定する必要がなく、ユーザの手間を軽減することができる、という効果がある。
【００３７】
請求項３〜６、１０〜１３、１７〜２０記載の発明は、処理の実際の実行結果に基づいて次の処理を決定し、該決定された処理を実行するので、ユーザによる次の処理の設定を排除することができ、ユーザの手間を軽減することができる、という効果がある。
【００３８】
請求項７、１４、２１記載の発明は、指示データにより指示された複数の処理の１つに、第１の指示データと異なる他の第２の指示データに従って処理が実行されたデータと、第１の指示データに従って処理が実行されたデータとを併合する処理を含めているので、ユーザによるそれぞれのデータの併合を排除でき、ユーザの手間を軽減することができる、という効果がある。
【発明を実施するための最良の形態】
【００３９】
以下、図面を参照して、本発明の実施の形態を詳細に説明する。
【００４０】
図１に示すように、第１の実施の形態にかかる処理実行装置としてのジョブフローシステムでは、原稿をスキャンしてイメージデートとして入力する入力装置１０には、リポジトリ１４が接続され、リポジトリ１４には、第１の処理サービス装置１６が接続され、第１の処理サービス装置１６には、第２の処理サービス装置１８が接続され、第２の処理サービス装置１８には、第３の処理サービス装置２０が接続されている。なお、リポジトリ１４、第１の処理サービス装置１６から第３の処理サービス装置２０は、処理実行装置に対応する。
【００４１】
リポジトリ１４、第１の処理サービス装置１６〜第３の処理サービス装置２０は、周知のサーバにより構成されている。即ち、リポジトリ１４は、図示しないＣＰＵ、ＲＯＭ、ＲＡＭ、入出力ポートなどで構成された制御部と、後述するイメージデータ及び指示書（指示データ）を記憶する記憶装置を備えている。
【００４２】
第１の処理サービス装置１６は、ＣＰＵ、ＲＯＭ、ＲＡＭ、及び入出力ポート等を備えて構成された制御部３０と、イメージ補正処理部及びノイズ除去処理部を備えた処理モジュール部３２とを備えている。
【００４３】
第２の処理サービス装置１８は、制御部３０と同様の構成の制御部３４と、英文ＯＣＲ処理実行部、日本語ＯＣＲ処理実行部、及び中国語ＯＣＲ処理実行部を備えた処理モジュール部３６とを備えて構成されている。
【００４４】
第３の処理サービス装置２０は、上記制御部３０と同様の構成の制御部３８と、ＰＤＦ変換処理実行部、ワード変換処理実行部、及びエクセル変換処理実行部を備えた処理モジュール群４０とを備えて構成されている。
【００４５】
指示書２２は、図１に示すように、複数の処理の順番を指示するデータによって構成され、データの属性を設定する属性情報部２６と、複数の処理の順番及び各処理の実施様態を指示する共通処理記述部２８とを備えている。
【００４６】
次に、本実施の形態の作用を説明する。ユーザが原稿を入力装置１０の所定の原稿裁置台に裁置し、複数の指示書が記憶された指示書プール１２から読み出された複数の指示書から所望の指示書を選択し、図示しないスタートボタンがＯＮされると、入力装置１０は、裁置台に裁置された原稿を読み取り、イメージデータを得る。このようにイメージデータを取得した入力装置１０は、イメージデータと選択された指示書とをリポジトリ１４に送信する。リポジトリ１４はイメージデータ２４Ｎ０及び指示書２２を受信し、図示しない記憶装置に記憶し、記憶したイメージデータ２４Ｎ０及び指示書２２を、指示書において最初に実行が指示された処理を実行する処理サービス装置に転送する。図１に示す例では、最初の処理は、イメージ補正及びノイズ除去であり、これらの処理は第１の処理サービス装置１６が実行可能であるので、リポジトリ１４は、イメージデータ２４Ｎ０及び指示書２２を第１の処理サービス装置１６に転送する。なお、指示書２２における共通処理記述部２８の処理サービス１〜３は、第１の処理サービス１６〜２０を示す。
第１の処理サービス装置１６〜第３の処理サービス装置２０は、このようにイメージデータ及び指示書を受信すると図２に示す処理実行プログラムをスタートする。本処理実行プログラムがスタートすると、ステップ５２で、入力した指示書に基づいて、実行すべき処理を決定する。例えば、図１に示す例では、指示書及びイメージデータが入力された第１の処理サービス装置１６は、指示書２２の共通処理記述部２８を参照し、イメージ補正及びノイズ除去が実行の指示がされているので、イメージ補正及びノイズ除去を実行すべき処理として決定する。
【００４７】
次のステップ５４で、上記ステップ５２で決定された処理を実行する。
【００４８】
次のステップ５６で、指示書に基づいて、次の処理を実行すべき処理サービスを決定する。即ち、第１の処理サービス装置１６では、指示書２２の共通処理記述部２２を参照し、自身（第１の処理サービス装置１６）が実行した処理の次の処理を認識し、次の処理を実行するべき処理サービスを決定する。即ち、例えば、図１に示す例では、イメージ補正及びノイズ除去の次には英文ＯＣＲ等が指示書２２に指示されているので、第１の処理サービス装置１６では、指示された英文ＯＣＲ等が次の処理であることを認識し、英文ＯＣＲ等を実行可能な第２の処理サービス装置１８を次の処理サービスとして決定する。そして、ステップ５８で、決定された処理サービスに、自身が処理を実行して得られたイメージデータ１４Ｎ１と指示書２２とを、転送する。
【００４９】
次に、図２におけるステップ５４の処理実行処理の詳細を、第１の処理サービス１６が実行する場合を例にとり説明する。
【００５０】
第１の処理サービス１６は、図２のステップ５２を実行した後、ステップ５4を実行する際、図３に示す処理実行サブプログラムをスタートする。本サブプログラムがスタートすると、ステップ６２で、イメージ補正処理を実行する。即ち、ステップ５２（図２）では、上記のように、イメージ補正及びノイズ除去が順に実行するように指示されていると認識されているので、本ステップ６２で、イメージ補正処理を実行する。
【００５１】
次のステップ６４で、イメージ補正処理の処理結果に基づいて、次の処理を決定し、決定された処理を実行する。
【００５２】
次のステップ６６で、指示書においてイメージ補正の次に指示されているノイズ除去を処理し、ステップ６８で、前処理（この場合には、入力装置１２におけるスキャン）によって得られた情報（例えば、原稿のサイズ）に基づいて、次の処理を決定する。
【００５３】
次に、図３のステップ６４の詳細を、図４を参照して説明する。上記ステップ６２でイメージ補正処理が実行されると、図４のステップ７２で、イメージ補正処理の処理結果にエラーがあるか否かを判断する。エラーがあると判断された場合には、ステップ７４で、エラーのレベルを決定する。本実施の形態では、エラーレベルとしては、レベル１〜レベル５が予め定められており、レベル５は致命的レベルとして、レベル２〜４は後述する問い合わせレベルとして設定されている。
【００５４】
ステップ７６で、上記決定されたレベルが致命的レベル（レベル５）が否かを判断し、エラーレベルが致命的レベルでないと判断された場合には、ステップ７８でエラーレベルが問い合わせレベル（レベル２〜レベル４）が否かを判断する。
【００５５】
ステップ７６でエラーレベルが致命的レベルであると判断された場合には、中止すべきと決定され、ステップ８４で、処理中止処理を実行する。即ち、図３に示す後の処理が実行されないための処理を行う。即ち、入力したイメージデータ２４Ｎ１や指示書２２を消去する処理である。
【００５６】
一方、エラーレベルが問い合わせレベルと判断された場合には、問い合わせ処理を行うべきと決定され、ステップ８０で問い合わせを行う。即ち、本ステップ８０では、入力装置１０に、上記原稿のイメージデータの処理に問い合わせレベルのエラーが発生したことを表示させる。その他、指示書２２内に、ユーザのパソコンを示すアドレスが設定されている場合には、設定されたパソコンに、問い合わせレベルのエラーが発生したことを報知する。
【００５７】
このように、問い合わされたユーザは、以後の処理を継続すべきか否かを判断し、継続すべきと判断された場合には、入力装置１０またはユーザのパソコンから継続命令信号を送信し、この場合にはステップ８２で、継続指示と判断し、図３のステップ６６以降を実施する。一方、継続信号が入力されない、即ち、処理中止信号を受信した場合には、ステップ８２が否定判定され、ステップ８４に進み、処理中止処理を実行する。
【００５８】
次に、図３のステップ６８の詳細を、図５に示すサブプログラムを示すフローチャートを参照して説明する。本プログラムがスタートすると、ステップ９２で、指示書の属性情報部２６に設定されている原稿サイズを取り込み、ステップ９４で、原稿サイズかレターサイズか否かを判断する。原稿サイズがレターサイズであると判断された場合には、読み取られた原稿には英文が記載されていると判断でき、ステップ９６で、英文ＯＣＲの実行を指示書に設定する。一方、原稿サイズがレターサイズでないと判断された場合には、ステップ９８で、原稿サイズが日本サイズ（Ａ判またはＢ判）か否かを判断する。原稿サイズが日本サイズの場合には、ステップ１００で、日本語ＯＣＲの実行を指示書２２に設定する。そして、ステップ９８で、日本語サイズでないと判断された場合には、ステップ１０２で、中国語ＯＣＲの実行を設定する。
【００５９】
次に、第２の処理サービス装置１８による処理を説明する。第２の処理サービス装置１８も図２に示す処理実行プログラムをスタートする。本処理実行プログラムがスタートすると、ステップ５２で、指示書に基づいて実行すべき処理を決定する。本第２の処理サービス装置１８は、文字認識（ＯＣＲ処理）を実行するものであるが、前述したように、第１処理サービス装置１６で、英文ＯＣＲ、日本語ＯＣＲ、及び中国語ＯＣＲのうちの何れかのＯＣＲを実行するように設定されている。よって、指示書に基づいて第２の処理サービス装置１８は、本ステップ５２では、その指示に従って、指示されたＯＣＲを実行すべき処理として決定する。
【００６０】
次のステップ５４で、決定された処理を実行する。即ち、第２の処理サービス装置１８は、本ステップ５４では、図６に示す処理を実行する。即ち、図６に示すステップ１１２で、上記のように決定された処理（ＯＣＲ）を実行する。例えば、英文ＯＣＲが設定されている場合にも、英文ＯＣＲを実行する。ステップ１１４で、当該ＯＣＲ処理によって得られた情報に基づいて、次の処理を決定する。
【００６１】
本ステップ１１４は、詳細には、図７に示す処理を実行する。即ち、図７のステップ１１６で、イメージデータは表データであるか否かを判断し、イメージデータであると判断された場合には、ＰＤＦ変換、ワード変換、エクセル変換のうちエクセル変換を実行すべきと指示書に設定する。このように、エクセル変換が指示書に設定されているので、第３の処理サービス装置２０は、エクセル変換を実行する。
【００６２】
次に、図８を参照して、以上説明した処理において指示書がどのように指示設定されるのかを説明する。リポジトリ１４から指示書２２及びイメージデータ２４Ｎ０が第１の処理サービス装置１６に入力された場合には、前述したように、第１の処理サービス装置１６は、イメージデータ２４Ｎ０に対し、イメージ補正処理及びノイズ除去処理を実行する。これにより、図８（Ａ）に示すように、指示書２２の共通処理記述部２８におけるイメージ補正及びノイズ除去に対応して、これらが実行されたことを示す１をそれぞれ設定する。また、第１の処理実行装置１６では、第２の処理サービス装置１８が実行する英文ＯＣＲ処理、日本語ＯＣＲ処理及び中国語ＯＣＲ処理のいずれかを選択する処理（図５参照）が実行され、指示書に英文ＯＣＲ、日本語ＯＣＲ、中国語ＯＣＲのいずれかが実行されるように設定される。例えば、英文ＯＣＲの実行が選択されると、図８（Ｂ）に示すように、第１の処理サービス装置１６は、英文ＯＣＲに対応して、未処理であることを示す０を設定し、日本語ＯＣＲ及び中国語ＯＣＲには、これらの処理が実行すべきでないことを示すＮをそれぞれ設定する。
【００６３】
以上のように設定された指示書２２及び、第１の処理サービス装置で処理が実行されたデータ、即ち、補正済みイメージデータ２４Ｎ１は、第２の処理サービス装置１８に入力される。ここで、指示書２２を参照すると、図８（Ｂ）に示すように、英文ＯＣＲが未処理（０）であると設定され、即ち、英文ＯＣＲを処理すべきであることが設定され、日本語ＯＣＲ及び中国語ＯＣＲを実行すべきではないと設定（Ｎ）されているので、第２の処理サービス装置１８は、入力した補正済みイメージデータ２４Ｎ１に対し英文ＯＣＲを実行する。
【００６４】
また、第２の処理サービス装置１８は、上記図６及び図７の処理を実行することにより、第３の処理サービスが実行すべき処理を選択し、選択した処理が実行されるように指示書２２に設定する。例えば、第２の処理サービス装置１８で、第３の処理サービス装置２０がエクセル変換処理を実行すべきと選択され、指示書に設定されると、指示書は図８（Ｃ）に示すように、ＰＤＦ変換及びワード変換に対応して、これらの処理が実行されないようにＮが設定され、エクセル変換が処理すべきであることを示す０を設定する。
【００６５】
本指示書２２及びＯＣＲ処理後の文字データ２４Ｎ２が第３の処理サービス装置２０に入力されると、第３の処理サービス装置２０は、指示書２２（図８（Ｃ））を参照して、エクセル変換が未処理である、即ち、エクセル変換処理を実行すべきと判断し、エクセル変換処理を、ＯＣＲ処理後の文字データ２４Ｎ２に実行する。
【００６６】
このように、既に実行された処理により得られた情報に基づいて、複数の処理の内の１つの処理を選択し、選択された処理が実行されるように指示データに設定するので、ユーザは、何れの処理を実行するのかを指示データに設定する必要がなく、ユーザの手間を軽減することができる。
【００６７】
次に、第２の実施の形態を説明する。本実施の形態は、図９に示すように、第１の実施の形態（図１参照）と同様の構成であるので、その説明を省略する。
【００６８】
次に、本実施の形態の作用を説明する。本実施の形態の作用は、第１の実施の形態と同様の作用部分があるので、同様の作用部分はその説明を省略し、異なる作用部分について説明する。
【００６９】
本実施の形態の第１の処理サービス装置１６〜第３の処理サービス装置２０は、前述した第１の実施の形態における処理実行プログラム（図２）を実行する。例えば、第２の処理サービス装置１８が処理実行プログラム（図２）を実行する場合を例にとり説明する。第２の処理サービス装置１８が処理実行プログラム（図２）を実行すると、ステップ５２で、指示書に基づいて実行すべき処理を決定し、ステップ５４で、決定された処理を実行する。本ステップ５４は、本実施の形態では、図１０に示す処理を実行する。
【００７０】
図１０のステップ１２２では、ＯＣＲ処理（決定された処理）を実行する。
【００７１】
次のステップ１２４で、ステップ１２２によってＯＣＲ処理が実行されて、その処理結果である認識率が９５％未満か否かを判断する。認識率が９５％未満（所定の不良状態）であると判断された場合には、ステップ１２６で、指示書２２から後述するカウント値Ｃを取得し、ステップ１２８で、カウント値Ｃを１インクリメントし、ステップ１３０で、カウント値Ｃが所定値Ｃ0（本実施の形態では３）以上か否かを判断する。カウント値Ｃが所定値Ｃ0以上でない、即ち、カウント値ＣがＣ０未満と判断された場合には、ステップ１３２で、前処理内で、未実行の処理があるか否かを判断する。第２の処理サービス装置１８にとって前処理は、第１の処理サービス装置１６により実行される処理である。図９に示すように、指示書２２の共通処理記述部２８においては、第１の処理サービス装置１６が実行すべき処理として、イメージ補正のみが設定されいる。しかし第１の処理サービス装置１６では、イメージ補正以外に、輪郭強調処理や、イメージ除去処理も実行可能であるが、指示書においては、イメージ補正のみが実行するように設定されていた。よって、第１の処理サービスはイメージ補正のみを実行している。即ち、前処理（上記例の第１の処理サービス装置１６）で未処理の処理（輪郭強調処理やイメージ除去処理）がある。従って、このような場合、上記図１０のステップ１３４では、未実行の処理が実行可能なように指示書を設定し、ステップ１３６で、前処理自体を未実行に設定し、ステップ１３８で、前処理サービスに、このように設定された指示書を転送する。
【００７２】
一方、カウント値Ｃが所定値Ｃ０以上と判断された場合には、ステップ１４０で、第１の実施の形態と同様に問い合わせ処理を実行し、問い合わせの結果継続指示がされた場合（ステップ１４４：肯定）には、図２のステップ５６に戻り、継続指示がされなかった場合（ステップ４４：否定）には、ステップ１４６で、前述した第１の実施の形態と同様に中止処理を実行する。
【００７３】
以上説明した処理を更に指示書の設定の変化の様子を示す図１１を参照して更に説明する。
【００７４】
リポジトリ１４から第１の処理サービス１６に入力される指示書２２の内容は、図１０（Ａ）に示すように、処理サービス１（第１の処理サービス１６）ではイメージ補正、処理サービス２（第２の処理サービス１８）では英文ＯＣＲ，処理サービス３（第３の処理サービス２０）ではワード変換がそれぞれ設定されている。なお、指示書２２には、第１の処理サービス１６〜第３の処理サービス２０が未実行であることを示す０が設定されている。
【００７５】
このように指示書２２（図１１（Ａ））が第１の処理サービス１６に入力されると、第１の処理サービス１６は、指示書２２の内容に基づいて、イメージ補正のみを実行すべきと認識し、入力したイメージデータ２４Ｎ０に対し、イメージ補正のみを実行する。イメージ補正処理を実行すると、指示書２２に、図１１（Ｂ）に示すように、処理サービス１及びイメージ補正が終了したことを示す１をそれぞれ設定し、設定したこの指示書２２を第２の処理サービス装置１８に転送する。
【００７６】
第２の処理サービス装置１８は、入力した指示書に基づいて、いずれのＯＣＲを実行すべきか否かを判断する。図１１（Ｂ）に示すように、処理サービス２が０と設定されているので、第２の処理サービスを実行すべきと判断し、更に、英文ＯＣＲが０に設定されているので、英文ＯＣＲを処理すべきと判断する。なお、第２の処理サービス装置１８は、英文ＯＣＲ校正モードの処理も実行可能であるが、当該モードが（  ）でくくられて、第２の処理サービス装置１８では、英文ＯＣＲ校正モードでは実行しないと認識する。このように、英文ＯＣＲ校正モードではなく通常の英文ＯＣＲを実行すべきと判断した第２の処理サービス装置１８は、入力した補正済みイメージデータ２４Ｎ１に対し英文ＯＣＲ処理を実行する。この英文ＯＣＲ処理である処理結果である認識率が上記のように９５％未満と判断された場合には、処理結果にエラーがあると判断し、カウント値Ｃを１にセットする。即ち、図１１（Ｃ）に示すように、カウント値Ｃに１をセットする。このようにカウント値Ｃが１にセットされると、ステップ１３０（図１０）が否定判定され、ステップ１３２で、前処理内で未実行の処理があるか否かを判断するが、図１１（Ｃ）に示すように、前処理、即ち、第１の処理サービス１６では、未実行の輪郭強調処理があると判断されるので、ステップ１３２が肯定判定され、ステップ１３４及び１３６を実行する。即ち、図１１（Ｄ）に示すように、第１の処理サービス６に対応して未実行の０をセットし、イメージ補正に対しても同様の未実行の０を設定し、更に、未実行であった輪郭強調の（  ）をはずし、未実行の０を設定する。これにより、図１１（Ｄ）に示すように、指示書で指示された第１の処理サービス１６〜第３の処理サービス２０でいまだ実行されていないことが示され、この指示書がステップ１３８（図１０）において、第１の処理サービス１２に入力される。第１の処理サービス１６は、入力された指示書２２を参照し、いずれの処理を実行すべきか決定する。図１１（Ｄ）に示す指示書を入力した場合には、第１の処理サービス装置１６は、イメージ補正及び輪郭強調を実行すべきと判断する。よって、第１の処理サービス装置１６は、イメージデータ２４Ｎ０に対し、イメージ補正及び輪郭強調補正を実行する。これにより、図１１（Ｅ）に示すように、指示書２２には、イメージ補正及び輪郭強調補正が実行したことを示す１が設定され、この設定された指示書２２は第２の処理サービス１８に入力される。
【００７７】
このように、指示書２２（図１１（Ｅ））を入力した第２の処理サービス装置１８は、前述した図２の処理実行プログラムを実行する。よって、図１０に示すサブプログラムも実行される。上記のように、第２の処理サービス装置１８が入力した補正済みイメージデータ２４Ｎ１が、元データ（イメージデータ２４Ｎ０）に対し、イメージ補正及び輪郭強調補正が実行されており、この補正済みイメージデータ２４Ｎ１は、ある程度良好なデータとなっており、図１０のステップ１２２でＯＣＲ処理を実行すると、前回実行した場合より認識率が向上されるはすである。しかし、再度認識率が９５％未満と判断された場合には、ステップ１２８で、カウント値Ｃに１インクリメントされる。よって、図１１（Ｆ）に示すように、カウント値Ｃに対して、２が設定される。そして、ステップ１３２〜１３６を実行するが、この場合には、前処理においては、ノイズ除去が実行されていないので、図１１（Ｆ）に示すようにノイズ除去の（  ）をはずし、第１の処理サービス、イメージ補正、輪郭強調、及びノイズ除去それぞれに０をセットして、この指示書を第１の処理サービス１６に入力する。これにより、第１の処理サービス１６では、イメージデータ２４Ｎ０に対し、この指示書に従って、イメージ補正、輪郭強調、及びノイズ除去を実行する。このように、イメージデータ２４Ｎ０に対して、イメージ補正、輪郭強調、及びノイズ除去が施され、この補正済みイメージデータ２４Ｎ１に対し、第２の処理サービス装置１８は、英文ＯＣＲを実行する。このように、イメージデータ２４Ｎ０に対し、イメージ補正、輪郭強調、及びノイズ除去の全ての処理が施されているので、ＯＣＲ処理が実行されると、認識率が９５％以上となると予想される。しかし、それでも、認識率が９５％未満となった場合には、カウント値Ｃが１インクリメントされ、カウント値Ｃが３となり（図１１（Ｇ））、カウント値Ｃが所定値Ｃ０（上記のように３）以上と判断され、ステップ１４０で、ユーザに以後の処理を継続するか否かが問い合わせされ、ステップ１４２で、継続の指示がない場合には、処理を中止する（ステップ１４４）。
【００７８】
次に、第３の処理サービス装置２０の処理を図１２の指示書の変化の様子を参照して説明する。第３の処理サービス装置２０に指示書が入力される際において、第１の処理サービス装置１６におけるイメージ補正、輪郭強調、ノイズ除去が実行され、更に、第２の処理サービス１８における英文ＯＣＲが実行されている場合には、図１２（Ａ）に示すように、イメージ補正、輪郭強調、ノイズ除去が処理済みであることを示す１がセットされ、英文ＯＣＲが処理済みであることを示す１がセットされている。第３の処理サービス装置２０では、入力したＯＣＲ処理が後の文字データ２４Ｎ２に対し、ワード変換を行う。行ったワード変換にエラーがある場合には、図１２（Ｂ）に示すように、カウント値Ｃを１インクリメントし、図１２（Ｃ）に示すように、前処理に対し未実行の処理がある場合、例えば、英文ＯＣＲ校正モードが実行されていない場合には、英文ＯＣＲ校正モードの（  ）をはずし、英文ＯＣＲ校正モードに対応して、０をセットして、この指示書（図１２（Ｃ）を第２の処理サービス装置１８に入力する。この指示書２２（図１２（Ｃ））を入力した第２の処理サービス装置１８は、入力した指示書２２を参照して、この場合には、英文ＯＣＲ及び英文ＯＣＲ校正モードが０がセットされているので、英文ＯＣＲ校正モードを実行するように認識する。そして、第２の処理サービス１８は、補正済みイメージデータ２４Ｎ１に対し、英文ＯＣＲ及び英文ＯＣＲ構成モードを実行する。
【００７９】
以上説明したように、処理の実際の実行結果に基づいて次の処理を決定し、該決定された処理を実行するので、ユーザによる次の処理の設定を排除することができ、ユーザの手間を軽減することができる。
【００８０】
次に、本発明の第３の実施の形態を説明する。本実施の形態は、第１の実施の形態と同様の構成であるので、その説明を省略する。
【００８１】
次に、本実施の形態の作用を説明する。本実施の形態の作用は、第１の実施の形態及び第２の実施の形態と同様の構成部分があるので異なる部分を説明する。
【００８２】
本実施の形態は、大量の原稿を分割して、それぞれの原稿を第１の入力装置１０Ａ、残りの原稿を第２の入力装置１０Ｂにそれぞれ読み取らせる。第１の入力装置１０Ａにより原稿が読み取られて得られたイメージデータに対する処理をフローＡ、第２の入力装置１０Ｂにより原稿が読み取られて得られたイメージデータに対する処理をフローＢという。第１の入力装置１０Ａでは、指示書プールから、指示書２２（図１３参照）を選択する。即ち、図１３に示すように、指示書には、処理サービス１、処理サービス２の後に処理サービス３としてフローＢ処理の終了を待つ、外部処理フローからの取り込み処理マージ処理が更に指示されている。
【００８３】
一方、第２の入力装置１０Ｂでは、指示書が選択され、この指示書には、処理サービス１から処理サービス３が指示されている。
【００８４】
第１の入力装置１０Ａでは、原稿を読み取り、この原稿を読み取りによって得られたイメージデータと、選択された指示書とをリポジトリ１４に送信し、リポジトリ１４は、入力した指示書及びイメージデータを第１の処理サービス１０に転送する。第１の処理サービス及び第２の処理サービスにおける処理は、前述した第１の実施の形態及び第２の実施の形態と同様であるので、その説明を省略する。
【００８５】
一方、第２の入力装置１０Ｂで、原稿が読み取られ、これにより得られたイメージデータと指示書とをリポジトリ１４に転送し、リポジトリ１４は、入力したイメージデータ及び指示書を第１の処理サービスに転送する。第１の処理サービス及び第２の処理サービスにおける処理は上記と同様であるのでその説明を省略する。そして、第１の指示書では、図１３に示すように、フローＢの処理の終了を待つと設定されているので、第２の指示書に基づいて実行された処理が第３の処理サービス装置２０に入力されるのを待つ。
【００８６】
第２の指示書に基づいて処理が実行されたデータが、第２の処理サービス装置１８から第３の処理サービス装置２０に入力された場合には、第１の指示書に基づいて、第１の指示書に従って処理されたデータと、第２の指示書に従って処理されたデータとをマージし、マージした全体のデータをＰＤＦＦ変換する。
【００８７】
以上の処理を更に詳細に説明する。
【００８８】
図１４に示すように、第１の指示書に基づく処理をフローＡ、第２の指示書に基づく処理をフローＢとする。フローＡで原稿（例えば１〜５０ページ）をスキャンし、その後、イメージ補正処理、ノイズ除去処理、ＯＣＲ処理を順に実行する。フローＢでは、原稿（例えば５１ページ〜１００ページ）を、スキャンし、イメージ補正処理し、ノイズ除去処理、ＯＣＲ処理を順に実行する。そして、ＯＣＲ処理されたフローＢにおけるデータは、第３の処理サービス２０に入力（取り込まれ）され、ここで、フローＡにおけるデータとマージされ、全体がＰＤＦ変換される。
【００８９】
図１４から理解されるように、従来では、原稿（１〜５０ページ）のスキャン、原稿（５１〜１００ページ）のスキャンをし、それぞれについて、イメージ補正処理、ノイズ除去処理、ＯＣＲ処理、ＰＤＦ変換がされるので、本実施の形態は、処理を短時間に済ますことが出来る。
【００９０】
図１４に示す例では、フローＡにおけるスキャンを先にしているが、図１５に示すように、フローＢにおけるスキャンを先に実行してもよい。これにより、図１５に示すように、フローＡにおけるＯＣＲが終了すると直ちにフローＢにおけるデータを取り込みマージし、ＰＤＦ変換を完了させることが出来るので、図１４に示す例よりも更に短時間に処理を完了させることが出来る。
【００９１】
更に、図１５に示すようにフローＡ及びフローＢにおいて同時にスキャンを開始するようにしても良い。
【００９２】
以上、説明したように、指示データにより指示された複数の処理の１つに、第１の指示データと異なる他の第２の指示データに従って処理が実行されたデータと、第１の指示データに従って処理が実行されたデータとを併合する処理を含めているので、ユーザによるそれぞれのデータの併合を排除でき、ユーザの手間を軽減することができる。
【００９３】
以上を説明した第１の実施の形態〜第３の実施の形態では、リポジトリ、第１の処理サービス装置、第２の処理サービス装置、第３の処理サービス装置を、それぞれサーバにより構成するようにしているが、本発明はこれに限定されるものでなく、それぞれを１つのサーバが実行するようにしても良い。即ち、１つのサーバにおいて、リポジトリ機能、第１の処理サービス機能、第２の処理サービス機能、及び第３処理サービス機能を有するようにしてもよい。つまり、プログラムとして実現するようにしてもよい。更に、リポジトリ、第１の処理サービスから第３の処理サービス機能を全て入力装置内に有するようにしても良い。
【００９４】
また、第３の実施の形態では、２つの入力装置を備えるようにしているが、本発明はこれに限定されるものでなく、１つの入力装置で実行するようにしても良い。
【図面の簡単な説明】
【００９５】
【図１】第１の実施の形態に係る処理実行装置システムのブロック図である。
【図２】処理実行プログラムのフローチャートである。
【図３】図２のステップ５４の詳細を示すフローチャートである。
【図４】図３のステップ６４の詳細を説明するフローチャートである。
【図５】図３のステップ６８の詳細を示すフローチャートである。
【図６】第２の処理サービス装置が実行する図２のステップ５４の詳細を示すフローチャートである。
【図７】図６のステップ１１４の詳細を示すフローチャートである。
【図８】第１の実施の形態の作用を示す図である。
【図９】第２の実施の形態に係る処理実行装置システムを示すブロック図である。
【図１０】第２の処理サービス装置が実行する図２のステップ５４の詳細を示すフローチャートである。
【図１１】本実施の形態の作用を説明する第１の図である。
【図１２】本実施の形態の作用を説明する第２の図である。
【図１３】第３の実施の形態に係る処理実行装置システムのブロック図である。
【図１４】本実施の形態の作用を説明する図である。
【図１５】本実施の形態の作用の変形例を示す図である。
【図１６】本実施の形態の第２の変形例を示す図である。
【符号の説明】
【００９６】
１０    入力装置
１２    指示書プール
１４    リポジトリ
１６    第１の処理サービス装置
１８    第２の処理サービス装置
２０    第３の処理サービス装置
【図１】
2006155054.tif 000003
【図２】
2006155054.tif 000004
【図３】
2006155054.tif 000005
【図４】
2006155054.tif 000006
【図５】
2006155054.tif 000007
【図６】
2006155054.tif 000008
【図７】
2006155054.tif 000009
【図８】
2006155054.tif 000010
【図９】
2006155054.tif 000011
【図１０】
2006155054.tif 000012
【図１１】
2006155054.tif 000013
【図１２】
2006155054.tif 000014
【図１３】
2006155054.tif 000015
【図１４】
2006155054.tif 000016
【図１５】
2006155054.tif 000017
【図１６】
2006155054.tif 000018